(57)【特許請求の範囲】
【請求項１】
処理すべき画像から赤色チャンネルの副画素と、緑色チャンネルの副画素と、青色チャンネルの副画素とがＲＧＢ配置の態様で配置された画素から成る内容相関副画素を選択するステップと、
前記処理すべき画像における各前記内容相関副画素の初期色階調値を取得するステップと、
前記初期色階調値の末端に少なくとも１つの桁を付加し、付加された各桁に予め決められた数値を付与して、処理後の色階調値を取得するステップと、
前記初期色階調値を前記処理後の色階調値で置換するステップと、
を含み、
前記付加された各桁に予め決められた数値を付与して、前記処理後の色階調値を取得するステップは、
付加された各桁にランダムな値を付与し、前記処理後の色階調値を取得するステップを含む、
画像処理方法。
【請求項２】
処理すべき画像から赤色チャンネルの副画素と、緑色チャンネルの副画素と、青色チャンネルの副画素とがＲＧＢ配置の態様で配置された画素から成る内容相関副画素を選択するステップと、
前記処理すべき画像における各前記内容相関副画素の初期色階調値を取得するステップと、
前記初期色階調値の末端に少なくとも１つの桁を付加し、付加された各桁に予め決められた数値を付与して、処理後の色階調値を取得するステップと、
前記初期色階調値を前記処理後の色階調値で置換するステップと、
を含み、
前記付加された各桁に予め決められた数値を付与して、前記処理後の色階調値を取得するステップは、
各内容相関副画素の予め決められた関連領域内の相関副画素を判定するステップと、
各相関副画素の前記初期色階調値の末端にそれぞれ少なくとも１つの桁を、同一数量で付加し、付加された各桁に０を付与して、初回処理後の色階調値を取得するステップと、
前記相関副画素の前記初回処理後の色階調値に対応する数値範囲に応じて、前記数値範囲内にある前記内容相関副画素の前記処理後の色階調値を判定するステップと、
を含む、
画像処理方法。
【請求項３】
前記処理すべき画像から内容相関副画素を選択するステップは、
前記処理すべき画像から隣接副画素を選択するステップと、
前記隣接副画素間の前記初期色階調値が異なり、その差が予め決められた数値以下である場合、前記隣接副画素が前記内容相関副画素であると判定するステップと、
含む、請求項１又は２に記載の画像処理方法。
【請求項４】
前記処理すべき画像から前記内容相関副画素を選択するステップは、
前記処理すべき画像から隣接画素を選択するステップと、
前記隣接画素の同一色のチャンネルに属する副画素間の前記初期色階調値が異なり、その差が予め決められた数値以下である場合、前記隣接画素の同一色のチャンネルに属する前記副画素が前記内容相関副画素であると判定するステップと、
を含む、請求項１又は２に記載の画像処理方法。
【請求項５】
前記予め決められた数値は、前記処理すべき画像の画面の画素密度と逆相関関係を有する、請求項３又は４に記載の画像処理方法。
【請求項６】
前記相関副画素は、前記予め決められた関連領域内の全ての副画素を含むか、或いは、前記相関副画素は、前記予め決められた関連領域内にあり且つ前記内容相関副画素と同一色のチャンネルに属する副画素を含む、請求項２に記載の画像処理方法。
【請求項７】
前記相関副画素の前記初回処理後の色階調値に対応する数値範囲に応じて、前記数値範囲内にある前記内容相関副画素の前記処理後の色階調値を判定するステップは、
前記相関副画素に対応する前記初回処理後の色階調値の平均値を計算するステップを含み、
前記平均値は、前記内容相関副画素の前記処理後の色階調値である、請求項２に記載の画像処理方法。
【請求項８】
処理すべき画像から赤色チャンネルの副画素と、緑色チャンネルの副画素と、青色チャンネルの副画素とがＲＧＢ配置の態様で配置された画素から成る内容相関副画素を選択するように構成された選択ユニットと、
前記処理すべき画像における各前記内容相関副画素の初期色階調値を取得するように構成された取得ユニットと、
前記初期色階調値の末端に少なくとも１つの桁を付加し、付加された各桁に予め決められた数値を付与して、処理後の色階調値を取得するように構成された補足ユニットと、
前記初期色階調値を前記処理後の色階調値で置換するように構成された置換ユニットと、
を備え、
前記補足ユニットは、付加された各桁にランダムな値を付与して、前記処理後の色階調値を取得するように構成された付与サブユニットを備える、
画像処理装置。
【請求項９】
処理すべき画像から赤色チャンネルの副画素と、緑色チャンネルの副画素と、青色チャンネルの副画素とがＲＧＢ配置の態様で配置された画素から成る内容相関副画素を選択するように構成された選択ユニットと、
前記処理すべき画像における各前記内容相関副画素の初期色階調値を取得するように構成された取得ユニットと、
前記初期色階調値の末端に少なくとも１つの桁を付加し、付加された各桁に予め決められた数値を付与して、処理後の色階調値を取得するように構成された補足ユニットと、
前記初期色階調値を前記処理後の色階調値で置換するように構成された置換ユニットと、
を備え、
前記補足ユニットは、
各内容相関副画素の予め決められた関連領域内の相関副画素を判定するように構成された副画素判定サブユニットと、
各相関副画素の前記初期色階調値の末端にそれぞれ少なくとも１つの桁を、同一数量で付加し、付加された各桁に０を付与して、初回処理後の色階調値を取得するように構成された桁付加サブユニットと、
前記相関副画素の前記初回処理後の色階調値に対応する数値範囲に応じて、前記数値範囲内にある前記内容相関副画素の前記処理後の色階調値を判定するように構成された色階調値判定サブユニットと、
を備える、
画像処理装置。
【請求項１０】
前記選択ユニットは、
前記処理すべき画像から隣接副画素を選択するように構成された第１選択サブユニットと、
前記隣接副画素間の前記初期色階調値が異なり、その差が予め決められた数値以下である場合、前記隣接副画素が前記内容相関副画素であると判定するように構成された第１判定サブユニットと、
を備える、請求項８又は９に記載の画像処理装置。
【請求項１１】
前記選択ユニットは、
前記処理すべき画像から隣接画素を選択するように構成された第２選択サブユニットと、
前記隣接画素の同一色のチャンネルに属する副画素間の前記初期色階調値が異なり、その差が予め決められた数値以下である場合、前記隣接画素の同一色のチャンネルに属する副画素が前記内容相関副画素であると判定するように構成された第２判定サブユニットと、
を備える、請求項８又は９に記載の画像処理装置。
【請求項１２】
前記予め決められた数値は、前記処理すべき画像の画面の画素密度と逆相関関係を有する、請求項１０又は１１に記載の画像処理装置。
【請求項１３】
前記相関副画素は、前記予め決められた関連領域内の全ての副画素を含むか、或いは、前記相関副画素は、前記予め決められた関連領域内にあり且つ前記内容相関副画素と同一色のチャンネルに属する副画素を含む、請求項９に記載の画像処理装置。
【請求項１４】
前記色階調値判定サブユニットは、前記相関副画素に対応する前記初回処理後の色階調値の平均値を計算するように構成された計算モジュールを備え、
前記平均値は、前記内容相関副画素の前記処理後の色階調値である、
請求項９に記載の画像処理装置。
【請求項１５】
コンピュータを動作させるとき、請求項１〜７のいずれか１つに記載の画像処理方法をコンピュータに実行させるコンピュータプログラム。
【請求項１６】
請求項１５に記載のコンピュータプログラムが記憶されたコンピュータ可読記憶媒体。
【発明の詳細な説明】
【技術分野】
【０００１】
（関連出願の相互参照）
本出願は、２０１５年１月１３日に出願された中国特許出願番号２０１５１００１７６３６．１に基づいて優先権を主張するものであり、その全体の内容が参照により本明細書に援用される。
【０００２】
本開示は、一般に、画像処理の技術分野に関し、より具体的には、画像処理方法、画像処理装置、及び電子機器に関する。
【背景技術】
【０００３】
科学技術の発展に伴い、ユーザは、テレビ、パソコン、携帯電話などの様々な電子機器の画面上で、他人の撮影作品などの静的な画像や映像を見たり、家族とテレビ電話したりすることができる。
【０００４】
電子機器が静的な画像又は映像のフレーム画像を表示するとき、当該静的な画像又は映像のフレーム画像は、実際には複数の画素によって構成されている。その全体像は、各画素の表示色を制御することによって、電子機器の画面上に表示される。
【０００５】
また、各画素は、複数の副画素に分けることができる。例えば、ＲＧＢ副画素モードを用いる電子機器において、各画素は、赤色チャンネル（ＲＧＢの中のＲは、Ｒｅｄを示している）の副画素と、緑色チャンネル（ＲＧＢの中のＧは、Ｇｒｅｅｎを示している）の副画素と、青色チャンネル（ＲＧＢの中のＢは、Ｂｌｕｅを示している）の副画素とを含んでいる。従って、各副画素の色階調値を制御することによって、３つの副画素から複数の組み合わせを取得することができ、それにより、複数の画素の色を取得することができる。
【発明の概要】
【発明が解決しようとする課題】
【０００６】
従来技術の課題を解決するために、本開示は、画像処理方法、画像処理装置、及び電子機器を提供する。
【０００７】
本開示の実施形態の第１態様によれば、
処理すべき画像から内容相関副画素を選択するステップと、
前記処理すべき画像における各前記内容相関副画素の初期色階調値を取得ステップと、
前記初期色階調値の末端に少なくとも１つの桁を付加し、付加された各桁に予め決められた数値を付与して、処理後の色階調値を取得するステップと、
前記初期色階調値を前記処理後の色階調値で置換するステップと、
を含む、画像処理方法を提供する。
【０００８】
なお、前記処理すべき画像から内容相関副画素を選択するステップは、
前記処理すべき画像から隣接副画素を選択するステップと、
前記隣接副画素間の前記初期色階調値が異なり、その差が予め決められた数値以下である場合、前記隣接副画素が前記内容相関副画素であると判定するステップと、
を含んでもよい。
【０００９】
また、前記処理すべき画像から前記内容相関副画素を選択するステップは、
前記処理すべき画像から隣接画素を選択するステップと、
前記隣接画素の同一色のチャンネルに属する副画素間の前記初期色階調値が異なり、その差が予め決められた数値以下である場合、前記隣接画素の同一色のチャンネルに属する前記副画素が前記内容相関副画素であると判定するステップと、
を含んでもよい。
【００１０】
また、前記予め決められた数値は、前記処理すべき画像の画面の画素密度と逆相関関係を有してもよい。
【００１１】
また、前記付加された各桁に予め決められた数値を付与して、前記処理後の色階調値を取得するステップは、
前記付加された各桁にランダムな値を付与し、前記処理後の色階調値を取得するステップを含んでもよい。
【００１２】
また、前記付加された各桁に予め決められた数値を付与して、前記処理後の色階調値を取得するステップは、
各内容相関副画素の予め決められた関連領域内の相関副画素を判定するステップと、
各相関副画素の前記初期色階調値の末端にそれぞれ少なくとも１つの桁を、同一数量で付加し、付加された各桁に０を付与して、初回処理後の色階調値を取得するステップと、
前記相関副画素の前記初回処理後の色階調値に対応する数値範囲に応じて、前記数値範囲内にある前記内容相関副画素の前記処理後の色階調値を判定するステップと、
を含んでもよい。
【００１３】
また、前記相関副画素は、前記予め決められた関連領域内の全ての副画素を含むか、或いは、前記相関副画素は、予め決められた関連領域内にあり且つ前記内容相関副画素と同一色のチャンネルに属する副画素を含んでもよい。
【００１４】
また、前記相関副画素の前記初回処理後の色階調値に対応する数値範囲に応じて、前記数値範囲内にある前記内容相関副画素の前記処理後の色階調値を判定するステップは、
前記相関副画素に対応する前記初回処理後の色階調値の平均値を計算するステップを含み、
前記平均値は、前記内容相関副画素の前記処理後の色階調値であってもよい。
【００１５】
本開示の実施形態の第２態様によれば、
処理すべき画像から内容相関副画素を選択するように構成された選択ユニットと、
前記処理すべき画像における各前記内容相関副画素の初期色階調値を取得するように構成された取得ユニットと、
前記初期色階調値の末端に少なくとも１つの桁を付加し、付加された各桁に予め決められた数値を付与して、処理後の色階調値を取得するように構成された補足ユニットと、
前記初期色階調値を前記処理後の色階調値で置換するように構成された置換ユニットと、
を備える、画像処理装置を提供する。
【００１６】
なお、前記選択ユニットは、
前記処理すべき画像から隣接副画素を選択するように構成された第１選択サブユニットと、
前記隣接副画素間の前記初期色階調値が異なり、その差が予め決められた数値以下である場合、前記隣接副画素が前記内容相関副画素であると判定するように構成された第１判定サブユニットと、
を備えてもよい。
【００１７】
また、前記選択ユニットは、
前記処理すべき画像から隣接画素を選択するように構成された第２選択サブユニットと、
前記隣接画素の前記同一色のチャンネルに属する副画素間の前記初期色階調値が異なり、その差が予め決められた数値以下である場合、前記隣接画素の同一色のチャンネルに属する副画素が前記内容相関副画素であると判定するように構成された第２判定サブユニットと、
を備えてもよい。
【００１８】
また、前記予め決められた数値は、前記処理すべき画像の画面の画素密度と逆相関関係を有してもよい。
【００１９】
また、前記補足ユニットは、付加された各桁にランダムな値を付与して、前記処理後の色階調値を取得するように構成された付与サブユニットを備えてもよい。
【００２０】
また、前記補足ユニットは、
各内容相関副画素の予め決められた関連領域内の相関副画素を判定するように構成された副画素判定サブユニットと、
各相関副画素の前記初期色階調値の末端にそれぞれ少なくとも１つの桁を、同一数量で付加し、付加された各桁に０を付与して、初回処理後の色階調値を取得するように構成された桁付加サブユニットと、
前記相関副画素の前記初回処理後の色階調値に対応する数値範囲に応じて、前記数値範囲内にある前記内容相関副画素の前記処理後の色階調値を判定するように構成された色階調値判定サブユニットと、
を備えてもよい。
【００２１】
また、前記相関副画素は、前記予め決められた関連領域内の全ての副画素を含むか、或いは、前記相関副画素は、予め決められた関連領域内にあり且つ前記内容相関副画素と同一色のチャンネルに属する副画素を含んでもよい。
【００２２】
また、前記色階調値判定サブユニットは、前記相関副画素に対応する前記初回処理後の色階調値の平均値を計算してもよい。前記平均値は、前記内容相関副画素の前記処理後の色階調値であってもよい。
【００２３】
本開示の実施形態の第３態様によれば、
プロセッサと、
前記プロセッサによって実行可能な指示を記憶するメモリと、
を備える電子機器であって、
前記プロセッサは、
処理すべき画像から内容相関副画素を選択し、前記処理すべき画像における前記内容相関副画素の初期色階調値を取得し、
前記初期色階調値の末端に少なくとも１つの桁を付加し、付加された各桁に予め決められた数値を付与して、処理後の色階調値を取得し、前記初期色階調値を前記処理後の色階調値で置換するように構成されている。
【００２４】
本開示によって提供される技術的解決策は、次のような有利な効果を有する。
【００２５】
本開示の技術解決策は、内容相関副画素に少なくとも１つの桁を付加することによって、これら副画素の色階調値の桁が、例えば、６ｂｉｔから８ｂｉｔに増加する。それにより、隣接する内容相関副画素間の色階調値の変化量が減少し、前記色階調値の急激な変化によって生じる画像の色の階層化を回避し、画像の表示効果の改善に役立つ。
【００２６】
前述の一般的説明及び以下の詳細な説明は、例示的で説明的なものであり、本発明を限定するものではないことは理解されるべきである。
【図面の簡単な説明】
【００２７】
本明細書に組み込まれ、本明細書の一部を構成する添付図面は、本発明と一致する実施形態を例示するものであり、その記述と共に、本発明の原理を説明するのに役立つ。
【図１】例示的な実施形態に係る画像処理方法のフローチャートである。
【図２】例示的な実施形態に係る画素配列及び副画素選択の概略図である。
【図３】例示的な実施形態に係る画素配列及び副画素選択の概略図である。
【図４】例示的な実施形態に係る画素配列及び副画素選択の概略図である。
【図５】例示的な実施形態に係る処理すべき画像及び本開示の技術解決策に基づいて得られた処理後画像の概略図である。
【図６】例示的な実施形態に係る画像処理装置のブロック図である。
【図７】例示的な実施形態に係る画像処理装置のブロック図である。
【図８】例示的な実施形態に係る画像処理装置のブロック図である。
【図９】例示的な実施形態に係る画像処理装置のブロック図である。
【図１０】例示的な実施形態に係る画像処理装置のブロック図である。
【図１１】例示的な実施形態に係る画像処理装置のブロック図である。
【図１２】例示的な実施形態に係る画像処理装置の概略図である。
【発明を実施するための形態】
【００２８】
添付図面に示されている例示的な実施形態、実施例を詳細に参照する。以下の説明は、添付の図面を参照し、異なる図面における同一の数字は、特に示さない限り、同一又は類似の要素を表す。例示的な実施形態の以下の説明に記載されている実施例は、本発明と一致する全ての実施例を表すものではない。むしろ、それらは、添付の特許請求の範囲に記載の本発明に関連する態様と一致する装置及び方法の単なる例示である。
【００２９】
図１は、例示的な実施形態に係る画像処理方法のフローチャートである。図１に示すように、本方法は、端末に適用され、以下のステップを含む。
【００３０】
ステップ１０２においては、処理すべき画像から内容相関副画素を選択する。
【００３１】
本実施形態において、「内容相関副画素」は、処理すべき画像中の内容的に関連性を有する副画素である。内容相関の有無は、副画素間の距離又は色階調値の差などの状態より判定することができる。
【００３２】
例示的な実施形態においては、前記処理すべき画像から隣接副画素が選択されてもよく、前記隣接副画素の初期色階調値が異なり、その差が予め決められた数値以下である場合、前記隣接副画素が前記内容相関副画素であると判定される。
【００３３】
他の例示的な実施形態においては、前記処理すべき画像から任意の隣接画素が選択されてもよく、前記隣接画素の同一色のチャンネルに属する副画素間の初期色階調値が異なり、その差が予め決められた数値以下である場合、前記隣接画素の同一色のチャンネルに属する前記副画素が前記内容相関副画素であると判定される。
【００３４】
また、初期色階調値の差を比較するために用いられる「予め決められた数値」は、固定値であってもよく、実際の状況に応じて決められてもよい。例えば、予め決められた数値は、前記処理すべき画像の画面の画素密度と逆相関関係を有する。
【００３５】
ステップ１０４においては、処理すべき画像における各内容相関副画素の初期色階調値が取得される。
【００３６】
ステップ１０６においては、前記初期色階調値の末端に少なくとも１つの桁を付加し、付加された桁に予め決められた数値を付与して、処理後の色階調値を取得する。
【００３７】
本実施形態においては、桁の付加、すなわち「補足」処理を行うことによって、前記選択された副画素によって表示可能な色階調値の数が増加する。言い換えれば、内容相関副画素の色階調値自体は大きく変化しないが、内容相関副画素間の色階調値の変化量が減少し、画像の色変化がより緩やかになり、色の階層化が排除される。
【００３８】
例示的な実施形態において、付加された各桁にランダムな値を付与して、処理後の色階調値を取得してもよい。本実施形態においては、少ない計算量及び速い処理速度で、色の階層化を都合良く排除することができる。
【００３９】
他の例示的な実施形態において、前記内容相関副画素の予め決められた関連領域内の相関副画素が判定されてもよい。前記相関副画素は、前記予め決められた関連領域内の全ての副画素を含んでもよいし、前記予め決められた関連領域内にあり且つ前記内容相関副画素の同一色のチャンネルに属する副画素を含んでもよい。各相関副画素の前記初期色階調値の末端にそれぞれ少なくとも１つの桁を付加し、付加された各桁に０を付与して、初回処理後の色階調値を取得する。各相関副画素には、同一数量の桁が付加される。前記相関副画素の処理後の色階調値は、前記相関副画素の前記初回処理後の色階調値に対応する数値範囲に応じて判定される。前記処理後の色階調値は、前記数値範囲内にある。本実施形態においては、画像の色の階層化を、正確且つ効果的に排除することができる。
【００４０】
また、前記相関副画素に対応する初回処理後の色階調値の平均値が計算されてもよい。前記平均値は、前記内容相関副画素の処理後の色階調値である。
【００４１】
ステップ１０８においては、前記初期色階調値を処理後の色階調値で置換する。
【００４２】
前記実施形態から分かるように、本開示は、内容相関副画素に少なくとも１つの桁を付加することによって、これら副画素の色階調値の桁が、例えば、６ｂｉｔから８ｂｉｔに増加する。それにより、隣接する内容相関副画素間の色階調値の変化量が減少し、前記色階調値の急激な変化によって生じる画像の色の階層化を回避し、画像の表示効果の改善に役立つ。
【００４３】
図２−５に示された画素配列及び副画素選択の概略図を参照して、本開示の技術解決策についてより具体的に説明する。
【００４４】
１．内容相関副画素
１）色チャンネルを区別しない
例示的な実施形態においては、内容相関副画素を選択するとき、副画素が属する色チャンネルを区別せずに、全ての副画素を同様に扱う。
【００４５】
図２に示されるように、端末の画面上の画素がＲＧＢ配置の態様で配置されるものとする。画素２２の赤色チャンネルの副画素の内容相関副画素を判定するとき、色チャンネルを区別することなく、画素２２の赤色チャンネルの副画素に隣接する任意の副画素が選択され、隣接副画素の中から内容相関副画素が選択される。
【００４６】
例えば、図２に示されるように、まず、画素２２の赤色チャンネルの副画素の上、下、左、右の隣接副画素を選択する。前記隣接副画素は、画素２１の緑色チャンネルの副画素と、画素２２の青色チャンネルの副画素と、画素１２の赤色チャンネルの副画素と、画素３２の赤色チャンネルの副画素とを含む。その後、前記隣接副画素間の色階調値を比較することによって、内容相関副画素を判定することができる。
【００４７】
【表１】
0006352427.tif 000002
【００４８】
例えば、図１には、５つの副画素の初期色階調値が示されている。画素２２の赤色チャンネルの副画素と特定の隣接副画素とは、初期色階調値が異なり、その差が予め決められた数値以下である場合、画素２２の赤色チャンネルの隣接副画素及び副画素が内容相関副画素であると判定される。なお、「予め決められた数値」は、固定値であってもよいし、端末の画面の画素密度に応じて決定されてもよい。また、予め決められた数値は、画素密度と逆相関関係を有してもよい。例えば、画素密度がＰＰＩ（Pixels Per Inch，１インチ毎の画素数）４００の場合、予め決められた数値は１であり、画素密度がＰＰＩ２００の場合、予め決められた数値は４である。
【００４９】
端末の画面のＰＰＩが４４２である場合、すなわち、予め決められた数値が１である場合、画素２２の赤色チャンネルの副画素と画素２２の青色チャンネルの副画素（２２−Ｂ）とは、内容相関し、互いに内容相関副画素である。
【００５０】
２）色チャンネルを区別する
【００５１】
別の実施形態において、内容相関副画素を選択するとき、副画素の色チャンネルが区別される。すなわち、各色チャンネルの副画素が別々に比較される。
【００５２】
図３（ａ）に示されるように、前記画素は、図２に示すＲＧＢ配列の態様で配列される。画素２２の赤色チャンネルの副画素の内容相関副画素を判定するとき、画素２２の隣接画素を選択し、これらの隣接画素中の赤色チャンネルの副画素と画素２２の赤色チャンネルの副画素とを比較する必要がある。
【００５３】
例えば、図３（ａ）に示されるように、まず、画素２２の上、下、左、右の隣接画素を選択する。当該隣接画素は、画素２１と、画素２３と、画素１２と、画素３２と含む。次に、これらの隣接画素中の赤色チャンネルの副画素を選択し、これらの隣接画素の赤色チャンネルの副画素と画素２２の赤色チャンネルの副画素とをそれぞれ比較して、内容相関副画素を判定する。
【００５４】
【表２】
0006352427.tif 000003
【００５５】
例えば、５つの副画素の初期色階調値が表２に示されている。画素２２の赤色チャンネルの副画素の初期色階調値と特定の隣接副画素の初期色階調値とが異なり、その差が予め決められた数値以下である場合、前記隣接副画素と画素２２の赤色チャンネルの副画素とは、内容相関副画素であると判定する。
【００５６】
端末の画面のＰＰＩが４４２である場合、すなわち、予め決められた数値が１である場合、画素２２の赤色チャンネルの副画素と画素２１の赤色チャンネルの副画素（２１−Ｒ）とは、内容相関し、互いに内容相関副画素である。
【００５７】
なお、図２の「隣接副画素」と図３（ａ）の「隣接画素」とが「上、下、左、右」に位置する例を図示している。しかしながら、「隣接」の状態は、本開示に限定されるものではなく、他の状況も含む。例えば、図３（ｂ）に示されるように、「上、下、左、右」及び「左上、右上、左下、右下」が「隣接」関係に含まれる。従って、「色チャンネルを区別する」における例示的な実施形態によれば、画素２２の青色チャンネルの副画素の内容相関副画素を選択するとき、画素１１と、画素１２と、画素１３と、画素２１と、画素２３と、画素３１と、画素３２と、画素３３とが画素２２の隣接画素として選択される。
【００５８】
２．初期色階調値
画面中の各副画素の色階調値は、画面制御チップによって制御される。また、画面制御チップにおいて、各色階調値は、バイナリ・データとして表示される。桁の長さが異なるバイナリ・データは、色階調値を表すために画面制御チップに用いられる。例えば、色階調値の桁の長さが６ｂｉｔである場合、各副画素は２６の色階調値を有し、各画素の三つの副画素を組み合わせると、（２６）３＝２６２１４４の色を実現可能である。すなわち、各画素によって２６２１４４種類の色を表現できる。色階調値の桁の長さが８ｂｉｔである場合、各副画素は２８の色階調値を有し、各画素の３つの副画素を組み合わせると、（２８）３＝１６７７７２１６の色が実現可能である。すなわち、各画素によって２６２１４４種類の色を表現できる。
【００５９】
初期色階調値とは、処理すべき画像における各副画素の色階調値をいう。内容相関副画素の選択に応じて、画像の色の階層化を排除し、画像表示効果を改善するために、前記選択された副画素の初期色階調値を修正する必要がある。
【００６０】
表１に示される副画素の初期色階調値を例に取ると、処理すべき画像が８ｂｉｔで色階調値を記録する場合、対応するバイナリ・データは表３に示される。
【００６１】
【表３】
0006352427.tif 000004
【００６２】
３．補足処理
前記内容相関副画素に対して、初期色階調値の末端に少なくとも１桁を付加し、付加された各桁に予め決められた数値を付与して補足処理を行う。それにより、表示すべき画像の正確な処理が実現される。
【００６３】
表３を例に取ると、副画素２２−Ｂの補足処理を行う必要がある場合、副画素２２−Ｂの色階調値に対応する８ｂｉｔのバイナリ・データ「０００００１１０」がｎ−ｂｉｔの最初の８桁のバイナリ・データとして用いられ、ｎ−ｂｉｔのバイナリ・データの次のｎ−８桁が数値で付与される。例えば、ｎ＝１０である場合、得られる１０ｂｉｔの色階調値は“０００００１１０＊♯”であり、“＊”と“♯”とは付加された桁である。
【００６４】
１）ランダム値の補足
例示的な実施形態においては、付加された各桁にランダムな値を付与して、処理後の色階調値を得てもよい。
【００６５】
例えば、８ｂｉｔの色階調値を１０ｂｉｔの色階調値に変更したとき、付加された２つの桁“＊♯”は、００,０１,１０,１１の４つの可能性を有し、付加された各桁にランダムな値を付与することによって実現されてもよい。
【００６６】
２）周囲の副画素の初期色階調値に基づく補足
他の例示的な実施形態において、付加された桁に付与される数値は、各内容相関副画素の予め決められた関連領域内の前記相関副画素の初期色階調値に応じて計算され、より正確な割り当て及びより良い画像の表示効果を実現する。このプロセスは、以下に示される。
【００６７】
（１）各内容相関副画素の予め決められた関連領域内の相関副画素を判定する。
【００６８】
予め決められた関連領域の大きさは、実際の要求に応じて決定されてもよい。例えば、色チャンネルを区別する必要がない場合、予め決められた関連領域の大きさは、小さくてもよい。図４（ａ）に示されるように、現在選択されている副画素２２−Ｒ（すなわち、画素２２の赤色チャンネルの副画素）に対応する相関副画素は、副画素１１−Ｇと、副画素１２−Ｒと、副画素１２−Ｂと、副画素２１−Ｇと、副画素２２−Ｂと、副画素３１−Ｇと、副画素３２−Ｒと、副画素３２−Ｂと、を含んでいる。
【００６９】
色チャンネルを区別する必要がある場合、予め決められた関連領域の大きさが大きくてもよい。図４（ｂ）に示されるように、現在選択されている副画素２２−Ｒに対応する相関副画素は、副画素１１−Ｒと、副画素１２−Ｒと、副画素１３−Ｂと、 副画素２１−Ｒと、副画素２３−Ｒと、副画素３１−Ｒと、副画素３２−Ｒと、副画素３３−Ｒとを含んでいる。
【００７０】
（２)各相関副画素の初期色階調値の末端に少なくとも１つの桁を、同一数量で付加し、付加された各桁に０を付与して、初回処理後の色階調値を取得する。
【００７１】
前記選択された副画素２２−Ｒを例に取ると、前記相関副画素が表１に示される副画素２１−Ｇ及び副画素２２−Ｂである場合、８ｂｉｔのバイナリ・データが表４に示される。各バイナリ・データに２つの桁を付加し、付加された２つの桁に０を付与することによって、表５に示される初回処理後の色階調値が得られる。
【００７２】
【表４】
0006352427.tif 000005
【００７３】
【表５】
0006352427.tif 000006
【００７４】
（３）前記相関副画素の前記初回処理後の色階調値に対応する数値範囲に応じて、前記内容相関副画素の処理後の色階調値が決定される。前記処理後の色階調値は、前記数値範囲内にある。
【００７５】
表５に示されるように、副画素２１−Ｇ、副画素２２−Ｒ、副画素２２−Ｂに対応する初回処理後の色階調値は、それぞれ１０進数のフォーマットの２０、２０、２４である。前記数値範囲は、２０〜２４である。従って、副画素２２−Ｒに対応する処理後の色階調値を２０〜２４の数値範囲内の任意の値に設定してもよい。
【００７６】
例示的な実施形態においては、前記相関副画素に対応する初回処理後の色階調値の平均値が計算されてもよい。前記平均値は、前記内容相関副画素の前記処理後の色階調値である。従って、副画素２１−Ｇ及び副画素２２−Ｂに対応する初回処理後の色階調値の平均値は（２０＋２４）／２＝２２である。各副画素の対応する前記処理後の色階調値は、表６に示される。なお、平均値以外にも、加重平均値などの他の値が各内容相関副画素の処理後の色階調値の計算に用いられてもよく、本開示に限定されない。
【００７７】
【表６】
0006352427.tif 000007
【００７８】
本開示の技術解決策は、長い色階調値を取得するために短いｂｉｔの色階調値に桁を付加することによって、画像の色を滑らかにすることができ、色階調値のバイナリの桁数を増やすことによって表示可能な色の数が増加し、隣接副画素間の色階調値の変化量が減少して、滑らかな色の推移を実現できるので、色の階層化を排除することができる。
【００７９】
例えば、表４及び表６に示された三つの副画素において、色階調値が５,５,６である場合、隣接副画素間の変化率は、０％、２０％となる。一方、色階調値が２０,２２,２４である場合、隣接副画素間の変化率は、１０％、９％となる。明らかに、処理後の色階調値の変化が滑らかであり、色階調値の急激な変化及び画像の色の階層化を回避することができる。
【００８０】
また、色階調値が８ｂｉｔから１０ｂｉｔに変更された場合、各副画素に対応する変化可能な色の最大数は、２８から２１０に変更される。副画素２１−Ｇを例に取ると、相対色階調値は、５／２８、２０／２１０であり、実際には変化しない。すなわち、補足処理は、補足動作で処理されない副画素に対して悪影響を及ばさない。
【００８１】
例えば、図５は、例示的な実施形態に係る処理すべき画像及び本開示の技術解決策に基づく処理後の画像の概略図である。図５に示されるように、説明のため、左の図と右の図の両方に“黒色”を用いている。左の図は、８ｂｉｔの色階調値を用いて処理される画像を示し、右の図は、１０ｂｉｔの色階調値の処理後の画像を示している。図５においては、８ｂｉｔの色階調値を有する左の図は、暗い色から明るい色（上から下）へ色推移する際に、明らかな色の階層化を有し、複数の水平方向のバンド縞が形成されていることが明らかである。一方、１０ｂｉｔの色階調値を有する処理後の右側の画像においては、内容相関副画素に補足処理を行うことによって、左側の画像中の隣接するバンド縞に対して最適化表示が行われ、視覚的に画像の色の階層化を排除でき、より自然で調和のとれた色推移効果を取得することができる。
【００８２】
前記画像処理方法の例示的な実施形態に対応して、本開示は、画像処理装置の例示的な実施形態を提供する。
【００８３】
図６は、例示的な実施形態に係る画像処理装置のブロック図である。図６を参照すると、本画像処理装置は、選択ユニット６１と、取得ユニット６２と、補足ユニット６３と、置換ユニット６４とを備えている。
【００８４】
選択ユニット６１は、処理すべき画像から内容相関副画素を選択するように構成されている。
【００８５】
取得ユニット６２は、前記処理すべき画像における各前記内容相関副画素の初期色階調値を取得するように構成されている。
【００８６】
補足ユニット６３は、前記初期色階調値の末端に少なくとも１つの桁を付加し、付加された各桁に予め決められた数値を付与して、処理後の色階調値を取得するように構成されている。
【００８７】
置換ユニット６４は、前記初期色階調値を前記処理後の色階調値で置換する。
【００８８】
図７は、例示的な実施形態に係る他の画像処理装置のブロック図である。図７に示すように、図６に示す実施形態に基づいて、選択ユニット６１は、第１選択サブユニット６１１と、第１判定サブユニット６１２とを備えてもよい。
【００８９】
また、第１選択サブユニット６１１は、前記処理すべき画像から任意の隣接副画素を選択するように構成されている。
【００９０】
第１判定サブユニット６１２は、前記任意の隣接副画素間の初期色階調値が異なり、その差が予め決められた数値以下である場合、前記任意の隣接副画素が前記内容相関副画素であると判定するように構成されている。
【００９１】
図８は、例示的な実施形態に係る他の画像処理装置のブロック図である。図８に示すように、図６に示す実施形態に基づいて、選択ユニット６１は、第２選択サブユニット６１３と、第２判定サブユニット６１４とを備えてもよい。
【００９２】
また、第２選択サブユニット６１３は、前記処理すべき画像から任意の隣接画素を選択する。
【００９３】
第２判定サブユニット６１４は、前記任意の隣接画素の同一色のチャンネルにおける副画素間の初期色階調値が異なり、その差が予め決められた数値以下である場合、前記任意の隣接画素の同一色のチャンネルにおける副画素が前記内容相関副画素であると判定される。
【００９４】
或いは、図７又は図８に示される例示的な実施形態において、前記予め決められた数値は、前記処理すべき画像の画面の画素密度と逆相関関係を有してもよい。
【００９５】
図９は、例示的な実施形態に係る他の画像処理装置のブロック図である。図９に示すように、図６に示される実施形態に基づいて、補足ユニット６３は、付与サブユニット６３１を備えてもよい。
【００９６】
付与サブユニット６３１は、付加された各桁にランダムな値を付与して、処理後の色階調値を取得するように構成されている。
【００９７】
図９に示す装置の実施形態における付与サブユニット６３１の構造は、図７又は図８に示される装置の実施形態に含まれてもよく、本開示には限定されない。
【００９８】
図１０は、例示的な実施形態に係る他の画像処理装置のブロック図である。図１０に示すように、図６に示される実施形態に基づいて、付加ユニット６３は、副画素判定サブユニット６３２と、桁付加サブユニット６３３と、色階調値判定ユニット６３４とを備えてもよい。
【００９９】
副画素判定サブユニット６３２は、各内容相関副画素の予め決められた関連領域における相関副画素を判定するように構成されている。
【０１００】
桁付加サブユニット６３３は、各相関副画素の初期色階調値の末端にそれぞれ少なくとも１つの桁を、同一数量で付加し、付加された各桁に０を付与して、初回処理後の色階調値を取得するように構成されている。
【０１０１】
色階調値判定ユニット６３４は、前記相関副画素の初回処理後の色階調値の数値範囲に応じて、前記内容相関副画素の処理後の色階調値を判定するように構成されている。前記処理後の色階調値は、前記数値範囲内にある。
【０１０２】
図９に示される装置の実施形態における付与サブユニット６３４の構造は、図７又は図８の装置の実施形態に含まれてもよく、本開示には限定されない。
【０１０３】
前記相関副画素は、前記予め決められた関連領域内の全ての副画素を含んでもよい。また、前記相関副画素は、前記予め決められた関連領域内にあり且つ同一色のチャンネルに属する副画素を含んでもよい。
【０１０４】
図１１は、例示的な実施形態に係る他の画像処理装置のブロック図である。図１１に示すように、図１０に示される例示的な実施形態に基づいて、色階調値判定サブユニット６３４は、計算モジュール６３４Ａを含んでもよい。
【０１０５】
計算モジュール６３４Ａは、相関副画素の初回処理後の色階調値の平均値を計算するように構成されている。前記平均値は、前記内容相関副画素の処理後の色階調値である。
【０１０６】
前記実施形態の装置に関し、各モジュールの具体的な動作モードは、前記画像処理方法に係る実施形態に詳細に述べられているので、ここでは説明を省略する。
【０１０７】
本装置の実施形態は、基本的に本方法の実施形態に対応しているので、関連部分は本方法の実施形態の説明を参照できる。前記装置の実施形態は、単なる例示であり、別個のコンポーネントとして説明されたユニットは、物理的に分離されてもよいし、分離されなくてもよい。ユニットとして説明されたコンポーネントは、物理的なユニットであっても、なくてもよい。すなわち、当該コンポーネントは、１箇所に配置されても、複数のネットワークユニットに分散されてもよい。また、本開示の解決策の目的は、実際の要求に応じて一部又は全部のモジュールを選択することによって実現されてもよい。当業者は、創造的な労働をすることなく、理解し実行することができるであろう。
【０１０８】
また、本開示は、更に、プロセッサと、プロセッサによって実行可能な指示を記憶するメモリとを備える電子機器を提供する。前記プロセッサは、処理すべき画像から内容相関副画素を選択し、前記処理すべき画像における前記内容相関副画素の初期色階調値を取得し、前記初期色階調値の末端に少なくとも１つの桁を付加し、付加された各桁に予め決められた数値を付与して、処理後の色階調値を取得し、前記初期色階調値を前記処理後の色階調値に置換するように構成されている。
【０１０９】
また、本開示は、更に、メモリと、１以上のプログラムとを備える端末を提供する。１以上のプログラムは、前記メモリに記憶され、１以上のプロセッサによって実行されるように構成されている。１以上のプログラムは、処理すべき画像から内容相関副画素を選択し、前記処理すべき画像における各内容副画素の初期色階調値を取得し、前記初期色階調値の末端に少なくとも１つの桁を付加し、付加された各桁に予め決められた数値を付与して、処理後の色階調値を取得し、前記初期色階調値を処理後の色階調値で置換する動作を行う指示を含む。
【０１１０】
図１２は、例示的な実施形態に係る画像処理装置１２００のブロック図である。例えば、装置１２００は、携帯電話、コンピュータ、デジタル放送端末、メッセージ装置、ゲーム機、タブレット、医療機器、運動機器、携帯情報端末（ＰＤＡ）などであってもよい。
【０１１１】
図１２を参照すると、装置１２００は、処理コンポーネント１２０２、メモリ１２０４、電力コンポーネント１２０６、マルチメディアコンポーネント１２０８、オーディオコンポーネント１２１０、入力／出力（Ｉ／Ｏ）インターフェース１２１２、センサコンポーネント１２１４、及び通信コンポーネント１２１６の１以上のコンポーネントを備えてもよい。
【０１１２】
処理コンポーネント１２０２は、一般的には、表示、電話、データ通信、カメラ動作、及びレコーディング動作に関連する動作などの、装置１２００の全体動作を制御する。処理コンポーネント１２０２は、前述した方法のステップの全部又は一部を行うように、指示を実行する１以上のプロセッサ１２２０を備えてもよい。更に、処理コンポーネント１２０２は、処理コンポーネント１２０２と他のコンポーネントとの間のインタラクションを容易にするために、１以上のモジュールを備えてもよい。例えば、処理コンポーネント１２０２は、マルチメディアコンポーネント１２０８と処理コンポーネント１２０２との間のインタラクションを容易にするために、マルチメディアモジュールを備えてもよい。
【０１１３】
メモリ１２０４は、装置１２００の動作をサポートするために様々なタイプのデータを記憶するように構成されている。そのようなデータの例には、装置１２００上で動作するアプリケーション又は方法のための指示、連絡先データ、電話帳データ、メッセージ、写真、映像などが含まれる。メモリ１２０４は、例えば、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気又は光ディスクなどの任意のタイプの揮発性又は不揮発性メモリ装置、又はその組合せを用いて実現されてもよい。
【０１１４】
電力コンポーネント１２０６は、装置１２００の様々なコンポーネントに対して電力を提供する。電力コンポーネント１２０６は、電力管理システム、１以上の電源、及び、装置１２００の電力の生成、管理、分配に関連する他のコンポーネントを備えてもよい。
【０１１５】
マルチメディアコンポーネント１２０８は、装置１２００とユーザとの間の出力インターフェースを提供する画面を備えている。いくつかの実施形態において、前記画面は、液晶ディスプレイ（ＬＣＤ）やタッチパネル（ＴＰ）を備えてもよい。前記画面がタッチパネルを備える場合、前記画面は、ユーザからの入力信号を受信するタッチスクリーンとして実現されてもよい。前記タッチパネルは、前記タッチパネル上でのタッチ、スワイプ、及びジェスチャーを検知するための１以上のタッチセンサを備えてもよい。タッチセンサは、タッチ又はスワイプの動作の境界を検知するだけでなく、タッチ又はスワイプの動作に関連する持続時間及び圧力も検知してもよい。いくつかの実施形態において、マルチメディアコンポーネント１２０８は、フロントカメラ及び／又はリアカメラを備えている。フロントカメラ及びリアカメラは、装置１２００が撮影モードや映像モードなどの動作モードにあるときに、外部のマルチメディアデータを受信してもよい。フロントカメラ及びリアカメラの各々は、固定された光学レンズ系であってもよいし、焦点整合及び光学ズーム性能を有してもよい。
【０１１６】
オーディオコンポーネント１２１０は、オーディオ信号を出力及び／又は入力するように構成されている。例えば、オーディオコンポーネント１２１０は、装置１２００が呼び出しモード、レコーディングモード、音声認識モードなどの動作モードにあるときに外部オーディオ信号を受信するように構成されたマイクロフォン（ＭＩＣ）を備えている。受信されたオーディオ信号は、更に、メモリ１２０４に記憶されても、通信コンポーネント１２１６を介して送信されてもよい。いくつかの実施形態において、オーディオコンポーネント１２１０は、更に、オーディオ信号を出力するスピーカを備えている。
【０１１７】
Ｉ／Ｏインターフェース１２１２は、処理コンポーネント１２０２と、キーボード、クリックホイール、ボタンなどの周辺機器インターフェースモジュールとの間のインターフェースを提供するように構成されている。ボタンは、限定されるものではないが、ホームボタン、ボリュームボタン、スタートボタン、及びロックボタンを備えてもよい。
【０１１８】
センサコンポーネント１２１４は、装置１２００の様々な態様のステータス評価を提供する１以上のセンサを備えている。例えば、センサコンポーネント１２１４は、装置１２００の開／閉状態、及びコンポーネント（例えば、装置１２００の表示部及びキーパッド）の相対位置を検知してもよい。また、センサコンポーネント１２１４は、装置１２００又は装置１２００のコンポーネントの位置変化、装置１２００に接触するユーザの有無、装置１２００の方位又は加速／減速、装置１２００の温度変化を検知してもよい。センサコンポーネント１２１４は、いかなる物理的接触もなく、近くの物体の存在を検知するように構成された近接センサを備えてもよい。また、センサコンポーネント１２１４は、更に、イメージングアプリケーションで使用するために、ＣＭＯＳやＣＣＤイメージングセンサなどの光センサを備えてもよい。いくつかの実施形態において、センサコンポーネント１２１４は、加速度センサ、ジャイロセンサ、磁気センサ、圧力センサ、又は温度センサも備えてもよい。
【０１１９】
通信コンポーネント１２１６は、装置１２００と他の装置との間の有線又は無線通信を容易にするように構成されている。装置１２００は、ＷｉＦｉ、２Ｇ、３Ｇなどの通信規格、又はそれらの組合せに基づく無線ネットワークにアクセスすることができる。例示的な一実施形態において、通信コンポーネント１２１６は、放送チャンネルを介して外部の放送制御システムからの放送信号又は放送関連情報を受信する。例示的な実施形態において、通信コンポーネント１２１６は、更に、短距離通信を容易にするために近距離無線通信（ＮＦＣ）モジュールを備えている。例えば、ＮＦＣモジュールは、無線自動識別（ＲＦＩＤ）技術、赤外線通信協会（ＩｒＤＡ）技術、超広帯域（ＵＷＢ）技術、ブルートゥース（ＢＴ）技術、又は他の技術に基づいて実現されてもよい。
【０１２０】
例示的な実施形態において、装置１２００は、前述した方法を行うために、特定用途向け集積回路（ＡＳＩＣｓ）、デジタル信号プロセッサ（ＤＳＰｓ）、デジタル信号処理装置（ＤＳＰＤｓ）、プログラマブル論理装置（ＰＬＤｓ）、フィールドプログラマブルゲートアレイ（ＦＰＧＡｓ）、コントローラ、マイクロコントローラ、マイクロプロセッサ、又は他の電子部品などの１以上の電子部品で実現されてもよい。
【０１２１】
例示的な実施形態においては、メモリ１２０４などの、指示を含む非一時的なコンピュータ可読記憶媒体が提供される。前記指示は、前述した方法を行う装置１２００のプロセッサ１２２０によって実行可能である。例えば、前記非一時的なコンピュータ可読記憶媒体は、ＲＯＭ、ＲＡＭ、ＣＤ−ＲＯＭ、磁気テープ、フロッピーディスク（登録商標）、光データ記憶装置等であってもよい。
【０１２２】
本発明の他の実施形態は、ここに開示された本発明の明細書及びプラクティスの考慮から当業者にはであろう。本願は、本発明の一般的な原理に従う任意の変形、使用、又は適応をカバーし、当該技術分野において公知又は慣行の範囲内にある本開示から逸脱するものを含むことが意図される。明細書及び実施例は、以下の特許請求の範囲によって示される本発明の真の範囲及び精神と共に、例示的のみとして考慮されることが意図される。
【０１２３】
本発明が前述され且つ添付の図面に図示された正確な構成に限定されるものではなく、様々な修正及び変更がその範囲から逸脱することなくなされてもよいことは認識されるであろう。本発明の範囲は添付の特許請求の範囲によってのみ限定されることが意図される。
【図１】
0006352427.tif 000008
【図２】
0006352427.tif 000009
【図３】
0006352427.tif 000010
【図４】
0006352427.tif 000011
【図５】
0006352427.tif 000012
【図６】
0006352427.tif 000013
【図７】
0006352427.tif 000014
【図８】
0006352427.tif 000015
【図９】
0006352427.tif 000016
【図１０】
0006352427.tif 000017
【図１１】
0006352427.tif 000018
【図１２】
0006352427.tif 000019